(57)【要約】  遮断器操作装置のロック機構は、ハウジング（１）を有し、ボタン（２）が前記ハウジング（１）のボタン溝（１０１）内に取り付けられ、前記ハウジング（１）内に、前記ボタン（２）をロック又はロック解除することができるロック部材（３）が設置されることを特徴とする。当該遮断器操作装置のロック機構は、遮断器の内部にロック部材が増設されることによって、ロックボタンが押された場合だけ、操作ボタンを押すとき遮断器がＯＮになり、操作ボタンを引き出すとき遮断器がＯＦＦになる。また、ロックボタンが押されていない場合、ロックボタンにより操作ボタンがロックされるので、操作ボタンを押すことができず、遮断器をＯＮにすることができなくなる。これによって、遮断器の端子とバスバーとの間にアークが生じせず、設備の安全性を保証することができる。
2021500731.tif 000002
【特許請求の範囲】
【請求項１】
ハウジング（１）を有し、ボタン（２）が前記ハウジング（１）のボタン溝（１０１）内に取り付けられる遮断器操作装置のロック機構であって、
前記ハウジング（１）内に、前記ボタン（２）をロック又はロック解除することができるロック部材（３）が設置される
ことを特徴とする遮断器操作装置のロック機構。
【請求項２】
前記ロック部材（３）は、第１ロックボタン（３０１）を含み、
前記第１ロックボタン（３０１）は、第１軸（３０２）を介して軸回りに回動可能に前記ハウジング（１）内に取り付けられ、
前記第１ロックボタン（３０１）の一側に第１位置規制凸出部（３０１ａ）が設けられ、前記ボタン（２）に第１位置規制凸出部（３０１ａ）に対応する第１位置規制階段（２０１）が設けられ、
前記第１ロックボタン（３０１）の他側の上端面に第１ロック凸出部（３０１ｂ）が設けられ、前記ハウジング（１）に前記第１ロック凸出部（３０１ｂ）に対応する第１位置規制溝孔（１０２）が設けられ、
第１捩りばね（４）は、ハウジング（１）に取り付けられ、前記第１捩りばね（４）の一端が、第１軸（３０２）の右側に位置する前記第１ロックボタン（３０１）の下面に掛けられる
ことを特徴とする請求項１に記載の遮断器操作装置のロック機構。
【請求項３】
第１軸（３０２）の右側に位置する前記第１ロックボタン（３０１）の下面に溝（３０１ｃ）が設けられ、
前記第１ロックボタン（３０１）の外側面に、溝（３０１ｃ）に対応する返し凸出部（３０１ｄ）が設けられ、
前記第１捩りばね（４）の一端は、溝（３０１ｃ）内に掛けられて前記返し凸出部（３０１ｄ）に当接する
ことを特徴とする請求項２に記載の遮断器操作装置のロック機構。
【請求項４】
前記ロック部材（３）は、第２ロックボタン（３０３）を含み、
前記第２ロックボタン（３０３）は、第２軸（３０４）を介して軸回りに回動可能に前記ハウジング（１）内に取り付けられ、
前記第２ロックボタン（３０３）の一側に位置規制ロッド（３０５）が延在し、ハンドル（５）に前記位置規制ロッド（３０５）に対応する第２位置規制階段（５０１）が設けられ、前記ハンドル（５）が第３軸（６）を介して軸回りに回動可能に前記ハウジング（１）内に取り付けられ、
前記ボタン（２）は、リンク（７）を介して前記ハンドル（５）と接続され、
前記第２ロックボタン（３０３）の他側の上端に第２ロック凸出部（３０６）が設けられ、前記ハウジング（１）に前記第２ロック凸出部（３０６）に対応する第２位置規制溝孔（１０３）が設けられ、
第２捩りばね（８）は、ハウジング（１）に取り付けられ、前記第２捩りばね（８）の一端が第２軸（３０４）の左側に位置する前記第２ロックボタン（３０３）の下面に掛けられる
ことを特徴とする請求項１に記載の遮断器操作装置のロック機構。
【請求項５】
前記リンク（７）はＵ字形リンクであることを特徴とする請求項１に記載の遮断器操作装置のロック機構。
【発明の詳細な説明】
【技術分野】
【０００１】
本発明は、遮断器の技術分野に属し、具体的に、遮断器操作装置のロック装置に関する。
【背景技術】
【０００２】
遮断器は、使用範囲によって高圧遮断器と低圧遮断器に分けられる。低圧遮断器は、自動スイッチとも称され、手動スイッチの機能を備えるとともに、無電圧、不足電圧、過負荷および短絡から自動的に保護することができる電気装置である。遮断器は、電力を割り当て、誘導電動機を低頻度で起動させ、電源回路及び電動機等を保護することに用いられ、過負荷や短絡、不足電圧等の故障が発生すると、回路を自動的に遮断する。その機能は、ヒューズスイッチと、過電圧継電器、不足電圧継電器又はサーマルリレー等との組み合わせに相当し、故障回路を遮断したあと部品を交換する必要もないので、すでに広く応用されている。
【０００３】
遮断器は、取付方式によって、差込形、固定形及び引出形に分けられる。差込形遮断器の使用により、電気設備を使用する業界において安全性を効果的に向上させることができる。差込形遮断器の各種電気設備への広範な使用に従って、各種の異なる電気設備の取付要求を満たすため、差込形遮断器の構成も様々になっている。従来の差込形遮断器製品の取付位置の設定は、通常、操作ボタンが押されると遮断器がＯＮになり、操作力を取り除き、遮断器の操作ボタンが元の位置に戻され、もう一回ボタンが押されると遮断器がＯＦＦになるよう設けられる。このような従来の取付方式であれば、遮断器がキャビネット内に取り付けられたかどうかにかかわらず、操作ボタンが押されると、遮断器がＯＮになる。遮断器は、導線が接続されたとともにＯＮになった場合、遮断器をキャビネットに差し込むとき、遮断器の端子とバスバーとの間に小さなアークが生じ、近くの設備の安全を脅かす恐れがある。
【発明の概要】
【発明が解決しようとする課題】
【０００４】
本発明は、従来技術による遮断器が、導線が接続されたとともにＯＮになった場合、遮断器をキャビネットに差し込むとき、遮断器の端子とバスバーとの間に小さなアークが生じ、近くの設備の安全を脅かすという技術的難題を解決することを目的とする。遮断器操作装置のロック機構は、遮断器の内部にロック部材が増設されることによって、第１ロックボタンが押された場合だけ、操作ボタンを押すとき遮断器がＯＮになり、操作ボタンを引き出すとき遮断器がＯＦＦになる。また、第１ロックボタンが押されていない場合、第１ロックボタンにより操作ボタンがロックされるので、操作ボタンを押すことができず、遮断器をＯＮにすることができなくなる。これによって、遮断器の端子とバスバーとの間にアークが生じせず、設備の安全性を保証することができる。
【課題を解決するための手段】
【０００５】
上記技術の目的を実現するため、本発明による遮断器操作装置のロック機構は、ハウジングを有し、ボタンが前記ハウジングのボタン溝内に取り付けられ、前記ハウジング内に、前記ボタンをロック又はロック解除することができるロック部材が設置される。
【０００６】
さらに、前記ロック部材は、第１ロックボタンを含み、前記第１ロックボタンが第１軸を介して軸回りに回動可能に前記ハウジングの内壁に取り付けられ、前記第１ロックボタンの左側の端に第１位置規制凸出部が設けられ、前記ボタンに第１位置規制凸出部に対応する第１位置規制階段が設けられ、前記第１ロックボタンの右側の上端面に第１ロック凸出部が設けられ、前記ハウジングに前記第１ロック凸出部に対応する第１位置規制溝孔が設けられ、第１捩りばねがハウジングに取り付けられ、前記第１捩りばねの一端が第１軸の右側に位置する前記第１ロックボタンの下面に掛けられる。
【０００７】
さらに、第１軸の右側に位置する前記第１ロックボタンの下面に溝が設けられ、前記第１ロックボタンの外側面に、溝に対応する返し凸出部が設けられ、前記第１捩りばねの一端が溝内に掛けられて前記返し凸出部に当接する。
【０００８】
さらに、前記ロック部材は、第２ロックボタンを含み、前記第２ロックボタンが第２軸を介して軸回りに回動可能に前記ハウジングの内壁に取り付けられ、前記第２ロックボタンの右側に位置規制ロッドが延在し、ハンドルに前記位置規制ロッドに対応する第２位置規制階段が設けられ、前記ハンドルが第３軸を介して軸回りに回動可能に前記ハウジングの内壁に取り付けられ、前記ボタンがリンクを介して前記ハンドルと接続され、前記第２ロックボタンの左側の上端に第２ロック凸出部が設けられ、前記ハウジングに前記第２ロック凸出部に対応する第２位置規制溝孔が設けられ、第２捩りばねが、ハウジングに取り付けられ、前記第２捩りばねの一端が第２軸の左側に位置する前記第２ロックボタンの下面に掛けられる。
【０００９】
好ましくは、前記リンクがＵ字形リンクである。
【発明の効果】
【００１０】
本発明による遮断器操作装置のロック機構は、遮断器の内部にロック部材が増設されることによって、第１ロックボタンが押された場合だけ、操作ボタンを押すとき遮断器がＯＮになり、操作ボタンを引き出すとき遮断器がＯＦＦになる。また、第１ロックボタンが押されていない場合、第１ロックボタンにより操作ボタンがロックされるので、操作ボタンを押すことができず、遮断器をＯＮにすることができなくなる。これによって、遮断器の端子とバスバーとの間にアークが生じせず、設備の安全性を保証することができる。
【図面の簡単な説明】
【００１１】
【図１】本発明の実施例１の構成模式図である。
【図２】本発明の実施例１における第１ロックボタンの構成模式図である。
【図３】本発明の実施例１における第１ロックボタンが自由状態となるときの構成模式図である。
【図４】本発明の実施例１における第１捩りばねの取付位置を示す構成模式図である。
【図５】本発明の実施例１における遮断器をキャビネットに差し込んだときの構成模式図である。
【図６】本発明の実施例２の構成模式図である。
【図７】本発明の実施例２における第２ロックボタンが自由状態となるときの構成模式図である。
【図８】本発明の実施例２における遮断器をキャビネットに差し込んだときの構成模式図である。
【発明を実施するための形態】
【００１２】
以下、図面及び実施例を参照しながら、本発明をさらに説明する。
【００１３】
遮断器操作装置のロック機構は、ハウジング１を有し、ボタン２が上記ハウジング１のボタン溝１０１内に取り付けられ、上記ハウジング１内に、上記ボタン２をロック又はロック解除することができるロック部材３が設置される。
【００１４】
（実施例１）
本発明の具体的な一実施例では、図１及び２に示すように、上記ロック部材３は、第１ロックボタン３０１を含み、上記第１ロックボタン３０１が第１軸３０２を介して軸回りに回動可能に上記ハウジング１の内壁に取り付けられる。上記第１ロックボタン３０１の左側の端に第１位置規制凸出部３０１ａが設けられ、上記ボタン２に第１位置規制凸出部３０１ａに対応する第１位置規制階段２０１が設けられる。上記第１ロックボタン３０１の右側の上端面に第１ロック凸出部３０１ｂが設けられ、上記ハウジング１に上記第１ロック凸出部３０１ｂに対応する第１位置規制溝孔１０２が設けられる。第１捩りばね４は、図４に示すように、ハウジング１に取り付けられ、上記第１捩りばね４の一端がハウジング１に掛けられる。上記第１ロックボタン３０１は、第１軸３０２の右側の下面に溝３０１ｃが設けられ、上記第１ロックボタン３０１の外側面に、溝３０１ｃに対応する返し凸出部３０１ｄが設けられ、上記第１捩りばね４の他端が溝３０１ｃ内に掛けられて上記返し凸出部３０１ｄに当接する。
【００１５】
図３は、遮断器のＯＦＦ状態を示すものである。図３に示すように、第１ロックボタン３０１が第１捩りばね４の付勢力を受け、第１ロックボタン３０１の左側の第１位置規制凸出部３０１ａがボタン２の第１位置規制階段２０１に当接される。この場合、第１ロックボタン３０１でボタン２がロックされるので、操作ボタン２を押すことができなくなり、遮断器をＯＮにすることができない。
【００１６】
図５は、遮断器の開閉自在な状態を示すものである。図５に示すように、遮断器がキャビネットの規定位置に取り付けられたとき、第１ロックボタン３０１の右側の第１ロック凸出部３０１ｂがキャビネットで押下され、第１ロックボタン３０１が時計回りに回動し、第１ロックボタン３０１の左側の第１位置規制凸出部３０１ａがボタン２の中部の第１位置規制階段２０１に当接しないようになり、操作ボタン２がロック解除された。この場合、ボタン２をプッシュ（プル）すれば、遮断器機構におけるリンクを動作させて遮断器をＯＮ（ＯＦＦ）にすることができる。
【００１７】
（実施例２）
本発明の具体的なもう一実施例では、図６に示すように、上記ロック部材３は、第２ロックボタン３０３を含み、上記第２ロックボタン３０３が第２軸３０４を介して軸回りに回動可能に上記ハウジング１の内壁に取り付けられる。上記第２ロックボタン３０３の右側に位置規制ロッド３０５が延在し、ハンドル５に上記位置規制ロッド３０５に対応する第２位置規制階段５０１が設けられ、上記ハンドル５が第３軸６を介して軸回りに回動可能に上記ハウジング１の内壁に取り付けられる。上記ボタン２はＵ字形リンク７を介して上記ハンドル５と接続される。上記第２ロックボタン３０３の左側の上端に第２ロック凸出部３０６が設けられ、上記ハウジング１に上記第２ロック凸出部３０６に対応する第２位置規制溝孔１０３が設けられる。第２捩りばね８は、第２軸３０４に取り付けられ、一端がハウジング１に掛けられ、他端が第２軸３０４の左側に位置する上記第２ロックボタン３０３の下面に掛けられる。
【００１８】
図７に示すように、遮断器がキャビネット内に取り付けられていない場合、ボタン２を押動して右へ運動させるとき、Ｕ字形リンク７の接続により、ハンドル５が反時計回りに回動しようとするが、第２ロックボタン３０３の左側の第２ロック凸出部３０６がキャビネット板に押下されていないため、第２ロックボタン３０３が第２捩りばね８の作用で動作せず、第２ロックボタン３０３の右側の位置規制ロッド３０５がハンドル５の第２位置規制階段５０１に当接する。この場合、ハンドル５が回動できなくなる。図８に示すように、遮断器がキャビネットに取り付けられているとき、第２ロックボタン３０３の左側の第２ロック凸出部３０６がキャビネット板により押下され、第２ロックボタン３０３が第２捩りばね８の付勢力に抵抗して反時計回りに回動し、第２ロックボタン３０３の右側の位置規制ロッド３０５がハンドル５の第２位置規制階段５０１に当接しなくなる。この場合、ボタン２を押動して右へ運動させると、Ｕ字形リンク７の接続により、ハンドル５が反時計回りに回動することができるので、遮断器を開閉することができる。
【００１９】
本実施例で図示した構成、比例、大きさ、数量等は、当該技術の熟練した人々が明細書に開示された内容を理解及び閲覧するためのものにすぎず、本発明の実施を限定するための限定条件ではないので、技術上の実質的な意義を有していない。如何なる構成の改良、比例関係の変更又は大きさの調整は、本発明の効果及び目的に影響しない限り、本発明に開示される技術内容がカバーできる範囲内に該当する。また、本明細書に記載の例えば「上」、「下」、「左」、「右」、「中間」、「時計回り」、「反時計回り」等の用語は、明瞭に説明するためのものに過ぎず、本発明の実施の範囲を限定するものではない。その相対関係の変更又は調整は、技術内容に対する実質的な変更がない限り、本発明の実施の範囲内に該当する。
【図１】
2021500731.tif 000003
【図２】
2021500731.tif 000004
【図３】
2021500731.tif 000005
【図４】
2021500731.tif 000006
【図５】
2021500731.tif 000007
【図６】
2021500731.tif 000008
【図７】
2021500731.tif 000009
【図８】
2021500731.tif 000010
【国際調査報告】
2021500731.tif 000011
2021500731.tif 000012
2021500731.tif 000013
2021500731.tif 000014